(57)【要約】【課題】現在の高度情報化社会の中でキーロックもそれに合致した、より安全で確実なものが求められ、これらのニーズに応じて構造が簡単且つ小型化を図り、多用途化する関連機器に組み込まれるキーロック装置を提供する。【解決手段】キーを挿入し、キーの回転操作により開閉を行うキーロック装置において、キーロック装置を形成するマウントの上面から下方に向けて第一段部と第二段部を形成した貫通孔を設け、第二段部には内周部に複数の突起を設けたリング状の規制部材を設置するとともに、円筒形状を分割した形状をもつロック部材をコイルバネを介して複数個ロータの凹所に上下動可能なように組み込み、ロック部材の外周側面には横溝を設け、キーを挿入するとロック部材の横溝がマウントの第二段部にある規制部材の突起高さと一致して、ロータが回転可能となるようにした。【選択図】      図１
2004169306.tif 000002
【特許請求の範囲】
【請求項１】
本体の上面にキーを挿入し、該キーの回転操作により開閉を行うキーロック装置において、前期本体を形成するマウントの上面から下方に第一段部と第二段部を形成した貫通孔を設け、前期第二段部に略リング状の内面に複数の突起を形成した規制部材を回転しないように配設し、更に前期規制部材に当接させ、上面に複数の凹所と中心軸を形成したロータを配設するとともに前期凹所にコイルバネを介して外側面に横溝を設けたロック部材を配設し、前期キーを挿入することにより複数の前期ロック部材に設けた横溝の高さが一致して前記規制部材の突起を中心として前期ロータが回転可能となることを特徴としたキーロック装置。
【請求項２】
前記ロック部材を略円筒形状とし、その中心を通って複数個に分割した形状としたことを特徴とする請求項１記載のキーロック装置。
【請求項３】
前記本体の下方に前期ロータに連動するスイッチ機構を配設したことを特徴とする請求項１記載のキーロック装置。
【発明の詳細な説明】
【０００１】
【発明の属する技術分野】
本発明は、本体にキーを挿入して回転操作を行なうキーロック装置に係り、特に短胴型で構造が簡単にも係わらずセキュリティー性の高いキーロック装置に関する。
【０００２】
【従来の技術】
図７は従来のキーロック装置のキー１の挿入状態を示す要部断面図を示し、図８は図７の要部側面断面図を示す。
従来、この種のキーロック装置は、本体３内にキーロック装置を配置し、この本体３を構成するハウジング４の上面にキー挿入口５を設け、このキー挿入口５より、側面に複数の略半円の凹溝２を形成した円筒状のキー１をハウジング４の軸方向に差し込み、ロータ６を回転させて開閉するものであり、その内部構造は二つの長さの異なるピン１０とピン１１の組み合わせを一組として複数組み配設し、キー１に設けた複数の凹溝２とハウジング４内にあるピン１０を嵌合しつつ、所定位置までキー１を押し込むとロータ６とピン７でハウジング４に固定されたピンガイド８の分割部９と押し下げられたピン１０とピン１１の突き当て部１２が略同一高さとなり、ロータ６が回転可能となる構造であった。
【０００３】
【発明が解決しようとする課題】
しかしながら、上記のように構成されているキーロック装置は、二つの長さの異なるピンとピンの組み合わせを一組として、複数組み配設してセキュリティを確保するため、組立作業において構成部品数が増えることとなり、構造的な面からも生産性に問題があった。また、二つの長さの異なるピンとピンを互いに突き合わせる組み合わせ構造をとるため、必然的にキーロック装置の全長が縦長になることから、機器の小型化に対応した短胴型のキーロック装置の開発が望まれていた。
本発明は、上記問題点を解決し、構造が簡単でセキュリティ性が高く、しかも小型に形成されたキーロック装置を提供することを目的とする。
【０００４】
【課題を解決するための手段】
本発明は、上記目的を達成するために、本体の上面にキーを挿入し、該キーの回転操作により開閉を行なうキーロック装置において、前記本体を形成するマウントの上面から下方に第一段部と第二段部を形成した貫通孔を設け、前記第二段部に略リング状の内面に複数の突起を形成した規制部材を回転しないように配設し、更に前期規制部材に当接させ、上面に複数の凹所と中心軸を形成したロータを配設するとともに前記凹所にコイルバネを介して外側面に横溝を設けたロック部材を配設したものである。
【０００５】
【発明の実施の形態】
本発明によれば、キーを挿入すると規制部材の突起位置とロック部材の横溝位置が一致してロータの回動を可能とする構造をもって、本体の構成部品点数を減らし、本体の生産性が容易となり、ロック部材の本数を複数個配置することでセキュリティ性を上げ、短胴化することで組み付ける機器の小型化に対応することができる。
【０００６】
【実施例】
以下、本発明のキーロック装置の実施例について、図面を参照しながら詳細に説明する。
【０００７】
図１は本発明のキーロック装置の第１実施例を示す分解斜視図、図２は本発明のキーロック装置の第１実施例を示す正面断面図、図３は本発明のキーロック装置のキーの挿入状態を示す正面断面図、図４は図２のＡ−Ａ’断面図、図５は図３のＢ−Ｂ’断面図、図６は本発明のキーロック装置の第２実施例を示す正面断面図である。
【０００８】
これらの図において、キーロック装置を形成するマウント２０の上面の略中央部から下方に向けて第一段部３８と第二段部３９を形成した貫通孔３７を設ける。該第一段部３８にはキー挿入口４３としてキー１３に抜け止めの突起１４を配設したとき、該キー挿入口４３には挿抜可能なように凹所１９を設ける。前記第二段部３９には内面に複数の突起２５と外周部には回転止め凹所２７を設けた略リング状の規制部材２６を配設する。また該規制部材２６の下方から当接させるため、上面に複数の凹所３０を円周上に配設し、略中央部には中心軸３６を形成し、該中心軸３６には前記キー１３に配設された複数の溝１５に組み合わされる凸所２９を前記凹所３０の間隙に設けた略円筒状のロータ２８が回動自在に配設される。該ロータ２８の前記凹所３０には前記凹所３０の内底面に配設したコイルバネ２４を介して前記凹所３０を自在に上下動するロック部材２２を配設する。該ロック部材２２は略円筒形状の略中心を通って放射状に複数個に分割した形状を成し、外周側面には前記規制部材２６の内面に設置された前記突起２５と組み合わされる横溝２３を設ける。
【０００９】
前記マウント２０の貫通孔３７には中心軸３６を形成したロータ２８を組付け、その際ロータ２８の凹所３０にコイルバネ２４を介して配設されたロック部材２２は規制部材２６の内側に設けた突起２５の間を縫って突出しマウント２０の第一段部３８に止められる。そしてロータ２８の下方にはマウント２０の下方に設けた鍔形状と略同一外形のケース３１を配設しマウント２０とともにケースカバー１８により加締められロータ２８の下方への抜け止めがなされる。ケース３１の上面の中央部に丸形の凹所３２を設け、該凹所３２の略中央部には貫通孔３３を設け、該貫通孔３３にはロータ２８の下面に設けた回転軸４０が挿入され下方に突出する。
前記マウント２０の外側面にはネジ２１が刻設されており、機器に設けた取付孔に前記マウント２０を挿入し、一方を丸ナット１６で受け、他方を六角ナット１７で締付け、固定する。
【００１０】
図１乃至図２乃至図３はケース３１の下面に鎖錠板３４を配設したものであり、ロータ２８の回転軸４０の下方に段部４１を設けて鎖錠板３４を介して、固定リング３５により配設される。該鎖錠板３４の配設方法はロータ２８の回転軸４０にネジ部を設けてナットで締付け固定してもよく、種々の方法が考えられる。図２乃至図３において、円筒形状のキー１３先端部には複数の溝１５と段差４２を設けておき、キー１３をマウント２０のキー挿入口４３から押し込むとロータ２８の中心軸３６がキー１３の円筒内に貫入しつつロータ２８の回りに配設されたロック部材２２をキー１３の段差４２でロータ２８の凹所３０に押し込み、ロック部材２２の外周に配設された横溝２３の開口部とマウント２０の第二段部３９に配設された規制部材２６の内面に設けられた突起１４の位置が一致してロータ２８が回転可能となり、円筒形状の先端部に設けられた溝１５にはロータ２８の凹所３０を除き中心軸３６の周りに配設された凸所２９が組み合わされ，キー１３の回転とともにロータ２８も回動する。
ロック部材２２の上方は平坦部４４とし、下方にはコイルバネ２４を保持する支柱４５を配設してロック部材２２の上下動作を滑らかにする。コイルバネ２４の支持には種々の方法があり、ロック部材２２の上下面にコイルバネ２４の端面を入れる凹部を配設して支柱４５を無くし、上下形状を対象として外周の横溝２３位置が異なる様にすると一本のロック部材２２はロータ２８の凹所３０にコイルバネ２４を介して組み込むとき上下方向を変えることで別のロック部材２２となり同一部品でキーロック装置の組合せが増える。
【００１１】
図４乃至図５は、本発明のキーロック装置におけるマウント２０内の規制部材２６とロック部材２２の関係を示し、本発明のキーロック装置はキー１３を挿入せず、ロータ２８の凹所３０内のコイルバネ２４によりロック部材２２がマウント２０の第一段部３８まで押し上げられているとロータ２８外周部の横溝２３と規制部材２６の突起２５が一致せずロータ２８の回転は阻止される。一方、マウント２０のキー挿入口４３からキー１３を挿入すると図４と図５に示すように、円筒形状の一部をなすロック部材２２はロータ２８の凹所３０内に押し下がるとともにロータ２８の中心軸３６に配設された凸所２９がキー１３の溝１５に貫入してキー１３とロータ２８が組合わされ一体化する。一方、キー１３の先端に押し込められたロック部材２２の外周側面には横溝２３が設置され、ロータ２８が回転する条件としてロック部材２２の横溝２３位置が規制部材２６の位置と一致して回転可能となる。
このように、ロック部材２２の横溝２３の位置の合わせとキー１３の先端長さにより、種々の組合わせのキーロック装置が得られる。
【００１２】
図６は本発明のキーロック装置の第２実施例を示し、キー１３を挿入した状態の正面断面図であり、鎖錠板３４の代わりにスイッチ機構５６を配設したものである。スイッチ機構５６はケース５２の内底面の略中央部に凹部５４を形成するとともに端子５３を固定したプリント基板５１を配設し、ケース５２の下面に前記端子５３を突出している。ケース５２の内側面には凹凸部を形成した切換子４９が配設されるとともに、ケース５２の凹部５４には回動自在な回転軸５５を設けたロータ４６が配設される。このロータ４６の下面には可動接片５０が配設され、プリント基板（回路パターン）５１と摺動接離する。ロータ４６の側面には横穴を設け、コイルバネ４７を介してスチールボール４８が配設され、切換子４９の凹凸部と弾接して切換節度が得られるとともに、その回転位置を保持できる。
【００１３】
本発明のキーロック装置にスイッチ機構５６を取り付ける際には、マウント５７とケース５２に凹凸を設けて嵌合させたり、マウント５７自体をケース５２に加締める等種々の方法が考えられる。
以上のように本発明のキーロック装置は用途に応じて鎖錠板３４やスイッチ機構５６を配設することができる。
なお、本発明は上記実施例に限定されるものではなく、本発明の趣旨に基づいて種々の変形が可能であり、それらを本発明の範囲から排除するものではない。
【００１４】
【発明の効果】
以上、詳細に説明したように、本発明によれば、次のような効果を奏することができる。
（１）本体を形成するマウントの上面から下方に第一段部と第二段部を形成した貫通孔を設け、第二段部に略リング状の内面に複数の突起を形成した規制部材を回転しないように配設し、更にこの規制部材に当接させて、上面に複数の凹所と中心軸を形成したロータを配設するとともに、この凹所にコイルバネを介して外側面に横溝を設けたロック部材を配設したので、従来の二つのロックピンの組み合わせ構造に比べて一つのロック部材の側面に横溝を設けた構造から、高さの低い短胴型のキーロック装置が得られるとともにロック部材の側面の横溝の位置を変えるだけで複数種類のキーロック装置が提供できる。
（２）本体を形成するマウントの上面から下方に第一段部と第二段部を形成した貫通孔を設け、第二段部に略リング状の内面に複数の突起を形成した規制部材を回転しないように配設し、更にこの規制部材に当接させて、上面に複数の凹所と中心軸を形成したロータを配設するとともに、この凹所にコイルバネを介して外側面に横溝を設けたロック部材を配設したので、従来の二つのロックピンの組み合わせ構造に比べて部品点数が少ないにも係わらず一つのロック部材の側面に横溝を設けた構造からセキュリティー性の高いキーロック装置を提供できる。
（３）本体を形成するマウントの上面から下方に第一段部と第二段部を形成した貫通孔を設け、第二段部に略リング状の内面に複数の突起を形成した規制部材を回転しないように配設し、更にこの規制部材に当接させて、上面に複数の凹所と中心軸を形成したロータを配設するとともに、前記凹所にコイルバネを介して外側面に横溝を設けたロック部材を配設した構造により、構造が簡単で組立性が良いことから、極めて生産性の良いキーロック装置が得られる。
（４）ロック部材を略円筒形状とし、その中心を通って複数個に分割した形状としたので、多品種少量生産に対しても容易に機械加工で対応できることから、フレキシブルな生産が可能である。
（５）本体の下方に前記ロータに連動するスイッチ機構を配設したので、キーロック装置だけでなく、キーロックスイッチとしても利用できるため、多種多様に使用できる。
【図面の簡単な説明】
【図１】本発明のキーロック装置の第１実施例を示す分解斜視図である。
【図２】本発明のキーロック装置の第１実施例を示す正面断面図である。
【図３】本発明のキーロック装置のキーの挿入状態を示す第１実施例の正面断面図である。
【図４】図２のＡ−Ａ’断面図である。
【図５】図３のＢ−Ｂ’断面図である。
【図６】本発明のキーロック装置の第２実施例を示す正面断面図である。
【図７】従来のキーロック装置のキーの挿入状態を示す要部断面図である。
【図８】従来のキーロック装置の要部側面断面図である。
【符号の説明】
１，１３  キー
２  凹溝
３  本体
４  ハウジング
５，４３  キー挿入口
６，２８，４６  ロータ
７，１０，１１  ピン
８  ピンガイド
９  分割部
１２  突き当て部
１４，２５  突起
１５  溝
１６  丸ナット
１７  六角ナット
１８  ケースカバー
１９，３０，３２，５４  凹所
２０，５７  マウント
２１  ネジ
２２  ロック部材
２３  横溝
２４，４７  コイルバネ
２６  規制部材
２７  回転止め凹所
２９  凸所
３１，５２  ケース
３３，３７  貫通孔
３４  鎖錠板
３５  固定リング
３６  中心軸
３８  第一段部
３９  第二段部
４０，５５  回転軸
４１  段部
４２  段差
４４  平坦部
４５  支柱
４８  スチールボール
４９  切換子
５０  可動接片
５１  プリント基板
５３  端子
５６  スイッチ機構
【図１】
2004169306.tif 000003
【図２】
2004169306.tif 000004
【図３】
2004169306.tif 000005
【図４】
2004169306.tif 000006
【図５】
2004169306.tif 000007
【図６】
2004169306.tif 000008
【図７】
2004169306.tif 000009
【図８】
2004169306.tif 000010